(57)【要約】【課題】この発明は、システム制御用ＣＰＵの処理を煩雑にすることなく、且つ不必要な電力消費を削減することを目的とする。【解決手段】オーディオ出力回路部３５及びＣＤ−ＲＯＭデータ用エラー訂正回路部３４を備え、デジタル信号が記録されたディスクから記録されたデジタル信号を再生する光ディスク再生装置であって、ディスクからＥＦＭ復調された信号からサブコード信号を復調するサブコード復調部３２と、復調されたサブコード信号内のサブコードＱチャネルのコントロールビットの状態により、ＥＦＭ復調されたデジタル信号の種別を判別する制御回路３３と、を備え、制御回路３３によりＥＦＭ復調されたデジタル信号がオーディオデータと判別すると、オーディオ出力回路部３５を動作させるとともにＣＤ−ＲＯＭデータ用エラー訂正回路部３４を停止状態にし、復調されたデジタル信号がＣＤ−ＲＯＭデータと判別すると、前記オーディオ出力回路部３５は停止状態にし、ＣＤ−ＲＯＭデータ用エラー訂正回路３４を動作させるように制御する。【選択図】　図３
2004046911.tif 000002
【特許請求の範囲】
【請求項１】
オーディオ出力回路及びＣＤ−ＲＯＭデータ用エラー訂正回路を備え、デジタル信号が記録されたディスクから記録されたデジタル信号を再生する光ディスク再生装置であって、前記ディスクからＥＦＭ復調された信号からサブコード信号を復調する手段と、前記復調されたサブコード信号内のサブコードＱチャネルのコントロールビットの状態により、前記ＥＦＭ復調されたデジタル信号の種別を判別する判別手段と、を備え、前記判別手段によりＥＦＭ復調されたデジタル信号がオーディオデータと判別すると、前記オーディオ出力回路を動作させるとともに前記ＣＤ−ＲＯＭデータ用エラー訂正回路を停止状態にし、前記復調されたデジタル信号がＣＤ−ＲＯＭデータと判別すると、前記オーディオ出力回路は停止状態にし、前記ＣＤ−ＲＯＭデータ用エラー訂正回路を動作させる処理を行うように制御することを特徴とする光ディスク再生装置。
【請求項２】
オーディオ出力回路及びＣＤ−ＲＯＭデータ用エラー訂正回路を備え、デジタル信号が記録されたディスクから記録されたデジタル信号を再生する光ディスク再生装置であって、前記ディスクからＥＦＭ復調、エラー訂正処理を経て復調されたデジタル信号のセクタ先頭１２バイトデータにセクタ同期信号が含まれているかを検出するセクタ同期信号検出手段を有し、前記セクタ同期信号が検出されると、前記ＣＤ−ＲＯＭデータ用エラー訂正回路を動作させるとともに前記オーディオ出力回路は停止状態にし、前記セクタ同期信号が検出されないと、前記ＣＤ−ＲＯＭデータ用エラー訂正回路を停止状態にするとともに前記オーディオ出力回路を動作させる処理を行うように制御することを特徴とする光ディスク再生装置。
【請求項３】
前記オーディオ出力回路は、デジタル処理を行うオーディオ出力部とＤ／Ａコンバータとを有し、前記停止状態にある場合は、前記デジタル処理を行うオーディオ出力部の動作クロックを停止して低消費電力状態に移行することを特徴とする請求項１または２に記載の光ディスク再生装置。
【請求項４】
前記Ｄ／Ａコンバータは、前記停止状態にある場合はアナログ電源電流を減少もしくは切断する手段を有することを特徴とする請求項３に記載の光ディスク再生装置。
【請求項５】
前記ＣＤ−ＲＯＭデータ用エラー訂正回路は、前記停止状態にある場合は回路の動作クロックが停止して低消費電力状態に移行することを特徴とする請求項１または２に記載の光ディスク再生装置。
【発明の詳細な説明】
【０００１】
【発明の属する技術分野】
この発明は、異なるフォーマットのディスクを判別できる光ディスク再生装置に係り、特に、ＣＤ（Ｃｏｍｐａｃｔ　Ｄｉｓｋ）−ＤＡ（Ｄｉｇｉｔａｌ　Ａｕｄｉｏ）、ＣＤ−ＲＯＭ等の異なるフォーマットで記録されたディスクを判別して再生する光ディスク再生装置に関する。
【０００２】
【従来の技術】
１枚のディスクにデジタルオーディオデータ（ＣＤ−ＤＡ）やＣＤ−ＲＯＭデータが混合されて記録されているディスクに対しては、それぞれのフォーマットに対応した再生処理を施す必要がある。これは、ＣＤ−ＤＡプレーヤでＣＤ−ＲＯＭディスクを再生した場合、音声信号ではないデジタルデータがデジタル信号処理回路によって復調され、デジタルオーディオデータ出力からＣＤ−ＲＯＭのデジタルデータがＤ／Ａコンバータによってアナログ音声信号に変換されて大きなノイズ音として出力されることになる。このようなデジタルデータのノイズ音を防ぐために、データの種別を判別し、それぞれのフォーマットに応じた再生処理を施している。
【０００３】
この再生処理の切り替えには、通常、あらかじめディスク最内周部に記録されているＴＯＣ（Ｔａｂｌｅ　Ｏｆ　Ｃｏｎｔｅｎｔｓ）から、各データの開始時間を読み出しておき、この情報からシステム制御用ＣＰＵによって、各フォーマットに対応した再生処理を制御する。
【０００４】
図１は、ＣＤ−ＲＯＭドライブの概略構成を示すブロック図である。ディスク１１からピックアップ１２によって読み出されたＥＦＭ信号はリードアンプ１３で増幅された後、ＥＦＭ復調部１４で復調され、復調されたＥＦＭ信号に基づきサーボ制御部１５がモータドライバ１６を制御し、ピックアップ１２及びディスクモータ１７が駆動される。また、復調されたＥＦＭ信号はサブコード復調部２２に与えられ、このデータからサブコード復調部２２によりサブコードの復調が行われる。
【０００５】
復調されたＥＦＭ信号は、インターリーバ／エラー訂正部２１に与えられ、インターリーバ／エラー訂正部２１にてエラー訂正が行われ、ＣＤ−ＲＯＭ用エラー訂正部２４、オーディ出力回路部２５に記録データが与えられる。そして、記録データがＲＯＭデータの場合はＣＤ−ＲＯＭ用エラー訂正部２４によりさらにエラー訂正がなされてＲＯＭデータが復調される。一方、記録データがＣＤ−ＤＡデータの場合はオーディオ出力回路部２５によりオーディオアナログ信号に復調される。
【０００６】
このＣＤ−ＤＡデータであるかＣＤ−ＲＯＭデータであるかは、システム制御用ＣＰＵ２３がＴＯＣ情報との比較を行って判断し、現在の情報がＣＤ−ＤＡデータの場合はＣＤ−ＲＯＭ用エラー訂正部２４の処理停止制御を行い、逆に現在の情報がＣＤ−ＲＯＭデータの場合はオーディオ回路部２５に対してミュートを行う制御を行うように制御するように構成すればよい。
【０００７】
【発明が解決しようとする課題】
しかしながら、従来の再生処理では、システム制御用ＣＰＵは、常にディスクに記録されているサブコード信号内のサブコードＱチャネル情報の現在時間をあらかじめ読み出してあるＴＯＣ情報と比較して再生処理制御を行うか、あらかじめ読み出してあるＴＯＣ情報から再生処理制御切り替え点までのトラック数を演算しておき現在のトラック位置と比較して再生処理制御を行う必要がある。
【０００８】
このためシステム制御用ＣＰＵの処理が煩雑になるばかりでなく、システム制御用ＣＰＵからの制御では細かな時間的制御が難しいのが実情である。これらのことから、従来の再生装置では、ＣＤ−ＤＡ再生中では、前記ＣＤ−ＲＯＭ用エラー訂正部回路自体の動作は続けられているがデータ処理が行われないだけであり、同様にＣＤ−ＲＯＭ再生中では前記オーディオ出力回路部自体の動作は続けられているがミュート設定が行われるだけである。
【０００９】
上記のことから前記ＣＤ−ＲＯＭ用エラー訂正部及びオーディオ回路部での回路自体は動作する必要がない期間でも電力を消費していることとなっていた。
【００１０】
この発明は、上記した従来の問題点に鑑みなされたものにして、システム制御用ＣＰＵの処理を煩雑にすることなく、且つ不必要な電力消費を削減することを目的とする。
【００１１】
【課題を解決するための手段】
この発明の光ディスク再生装置は、オーディオ出力回路及びＣＤ−ＲＯＭデータ用エラー訂正回路を備え、デジタル信号が記録されたディスクから記録されたデジタル信号を再生する光ディスク再生装置であって、前記ディスクからＥＦＭ復調された信号からサブコード信号を復調する手段と、前記復調されたサブコード信号内のサブコードＱチャネルのコントロールビットの状態により、前記ＥＦＭ復調されたデジタル信号の種別を判別する判別手段と、を備え、前記判別手段によりＥＦＭ復調されたデジタル信号がオーディオデータと判別すると、前記オーディオ出力回路を動作させるとともに前記ＣＤ−ＲＯＭデータ用エラー訂正回路を停止状態にし、前記復調されたデジタル信号がＣＤ−ＲＯＭデータと判別すると、前記オーディオ出力回路は停止状態にし、前記ＣＤ−ＲＯＭデータ用エラー訂正回路を動作させる処理を行うように制御することを特徴とする。
【００１２】
サブコードＱチャネルフォーマットはデータ列中、Ｓ０、Ｓ１に続く４ビットからなるＣＯＮＴＲＯＬ部の状態により、現在再生されている記録データがオーディオデータ（ＣＤ−ＤＡデータ）かＣＤ−ＲＯＭデータかを判別している。具体的には４ビット中最初の２ビットが”００”の場合はＣＤ−ＤＡデータ、”０１”の場合はＣＤ−ＲＯＭデータと定義されている。
【００１３】
この発明では、このＣＯＮＴＲＯＬビットの状態からＣＤ−ＤＡデータかＣＤ−ＲＯＭデータかを判別し、復調されたデジタル信号がＣＤ−ＤＡデータである場合は、オーディオ出力回路を動作させるとともに、ＣＤ−ＲＯＭデータ用エラー訂正回路を停止状態におく。逆に復調されたデジタル信号がＣＤ−ＲＯＭデータである場合は、オーディオ出力回路は停止状態におくとともにＣＤ−ＲＯＭデータ用エラー訂正回路を動作させる処理を行う。
【００１４】
上記のように構成することで、システム制御用ＣＰＵに煩雑な制御を用いなくても、ＣＤ−ＤＡもしくはＣＤ−ＲＯＭデータの制御を行うことが可能になるとともに、不必要な電力消費を削減することができる。
【００１５】
また、この発明の光ディスク再生装置は、オーディオ出力回路及びＣＤ−ＲＯＭデータ用エラー訂正回路を備え、デジタル信号が記録されたディスクから記録されたデジタル信号を再生する光ディスク再生装置であって、前記ディスクからＥＦＭ復調、エラー訂正処理を経て復調されたデジタル信号のセクタ先頭１２バイトデータにセクタ同期信号が含まれているかを検出するセクタ同期信号検出手段を有し、前記セクタ同期信号が検出されると、前記ＣＤ−ＲＯＭデータ用エラー訂正回路を動作させるとともに前記オーディオ出力回路は停止状態にし、前記セクタ同期信号が検出されないと、前記ＣＤ−ＲＯＭデータ用エラー訂正回路を停止状態にするとともに前記オーディオ出力回路を動作させる処理を行うように制御することを特徴とする。
【００１６】
ＣＤ−ＲＯＭフォーマットには、記録データの前に１２バイトの同期コードが含まれている。この同期コードは１バイトの”０”、１０バイトの”ＦＦ”、１バイトの”０”という列からなり、このデータ列はＣＤ−ＤＡでは出現しない。このことからこの同期コードの出現を検出することにより、判別が可能となる。そして、このことを利用することで、システム制御用ＣＰＵに煩雑な制御を用いなくても、ＣＤ−ＤＡもしくはＣＤ−ＲＯＭデータの制御を行うことが可能になるとともに、不必要な電力消費を削減することができる。
【００１７】
また、前記オーディオ出力回路は、デジタル処理を行うオーディオ出力部とＤ／Ａコンバータとを有し、前記停止状態にある場合は、前記デジタル処理を行うオーディオ出力部の動作クロックを停止して低消費電力状態に移行するように構成するとよい。
【００１８】
前記Ｄ／Ａコンバータは、前記停止状態にある場合はアナログ電源電流を減少もしくは切断する手段を有するように構成するとよい。
【００１９】
また、前記ＣＤ−ＲＯＭデータ用エラー訂正回路は、前記停止状態にある場合は回路の動作クロックが停止して低消費電力状態に移行するように構成するとよい。
【００２０】
【発明の実施の形態】
以下、この発明の実施形態につき図面を参照して説明する。図３はこの発明の第１の実施形態を示すブロック図である。ディスクからピックアップによって読み出されたＥＦＭ信号をリードアンプで増幅した後、ＥＦＭ復調部で復調するまでは、上記した図１に示す構成と同様であるので、図３においては、ＥＭＦ復調部でＥＭＦ復調された信号が与えられるサブコード復調部、デインターリーバ／エラー訂正部以降の回路構成を示している。
【００２１】
図２は、サブコードＱチャネルフォーマットを示すものであり、図３のサブコード復調部３２で復調される。このサブコードＱチャネルフォーマットはデータ列中、Ｓ０、Ｓ１に続く４ビットからなるＣＯＮＴＲＯＬ部の状態により、現在再生されている記録データがＣＤ−ＤＡデータかＣＤ−ＲＯＭデータかを判別している。具体的には４ビット中最初の２ビットが”００”の場合はＣＤ−ＤＡデータ、”０１”の場合はＣＤ−ＲＯＭデータと定義されている。
【００２２】
この発明の実施形態では、このＣＯＮＴＲＯＬビットの状態からＣＤ−ＤＡデータかＣＤ−ＲＯＭデータかを判別し、復調されたデジタル信号がＣＤ−ＤＡデータである場合は、オーディオ出力回路を動作させるとともに、ＣＤ−ＲＯＭデータ用エラー訂正回路を停止状態におく。逆に復調されたデジタル信号がＣＤ−ＲＯＭデータである場合は、オーディオ出力回路は停止状態におくとともにＣＤ−ＲＯＭデータ用エラー訂正回路を動作させる処理を行うものである。
【００２３】
図３に従いこの発明の第１の実施形態につき説明する。復調されたＥＦＭ信号はサブコード復調部３２及びデインターリーバ／エラー訂正部３１に与えられる。サブコード復調部３２は、与えられたＥＭＦ信号によりサブコードの復調が行われる。復調されたサブコードデータが制御回路３３に与えられる。
【００２４】
インターリーバ／エラー訂正部３１に与えられたＥＭＦ信号は、インターリーバ／エラー訂正部３１にてエラー訂正が行われ、ＣＤ−ＲＯＭ用エラー訂正部３４、オーディ出力回路部３５に記録データが与えられる。
【００２５】
ＣＤ−ＲＯＭ用エラー訂正部３４は、そして、記録データがＲＯＭデータの場合はＣＤ−ＲＯＭ用エラー訂正部３４によりさらにエラー訂正がなされてＲＯＭデータが復調される。ＣＤ−ＲＯＭ用エラー訂正部３４には、動作クロックがゲート３４ｃを介して与えられ、このゲート３４ｃを制御回路３３からのＣＤ−ＲＯＭ用エラー訂正部制御信号で制御する。
【００２６】
一方、記録データがＣＤ−ＤＡデータの場合はオーディオ出力回路部３５によりオーディオアナログ信号に復調される。
【００２７】
このオーディオ出力回路部３５は、デジタルオーディオ出力回路、誤りデータ補間回路、アッテネータ、デジタルフィルタ、ディエンファシス回路、ミュート回路、Ｄ／Ａコンバータ等から構成され、図３では、便宜上オーディオ出力回路部３５をデジタル部分のオーディオ出力回路部３５ａとＤ／Ａコンバータ部３５ｂと記載している。そして、オーディオ出力回路部３５ａでエラー訂正された記録データのデジタル処理が行われ、Ｄ／Ａコンバータ部３５ｂデジタル信号をアナログ信号に変換し、オーディオアナログ信号を出力する。
【００２８】
上記オーディオ出力回路部３５ａには、動作クロックがゲート３５ｃを介して与えられ、このゲート３５ｃを制御回路３３からのオーディオ回路部制御信号で制御する。また、Ｄ／Ａコンバータ部３５ｂは、制御回路３３からのオーディオ回路部制御信号に基づいて、アナログ電源電流を減少もしくは切断の制御が行われる。
【００２９】
制御回路３３は、サブコード復調部３２からのこのサブコードを監視し、データ列中、Ｓ０、Ｓ１に続く４ビットからなるＣＯＮＴＲＯＬ部の状態により、現在再生されている記録データがＣＤ−ＤＡデータかＣＤ−ＲＯＭデータかを判別している。上記したように、４ビット中最初の２ビットが”００”の場合はＣＤ−ＤＡデータ、”０１”の場合はＣＤ−ＲＯＭデータと定義されているので、Ｓ０、Ｓ１に続く４ビットからなるＣＯＮＴＲＯＬ部によりＣＤ−ＤＡデータかＣＤ−ＲＯＭデータかを判別する。ＣＤ−ＤＡデータである場合、制御回路３３はＣＤ−ＲＯＭ用エラー訂正部制御信号を”Ｌ”レベルにして出力し、オーディオ回路部制御信号を”Ｈ”レベルにして出力する。逆にＣＤ−ＲＯＭデータである場合は、制御回路３３はＣＤ−ＲＯＭ用エラー訂正部制御信号を”Ｈ”レベルにして出力し、オーディオ回路部制御信号を”Ｌ”レベルにして出力する。
【００３０】
ゲート３４ｃ、３５ｃはそれぞれ与えられる制御信号が”Ｌ”レベルのときのは動作クロックの供給が停止され、”Ｈ”レベルのときに動作クロックを供給する。
【００３１】
ＣＤ−ＲＯＭ用エラー訂正部制御信号が”Ｈ”レベルである場合、ＣＤ−ＲＯＭ用エラー訂正部３４には動作クロックが供給される。逆にＣＤ−ＲＯＭ用エラー訂正部制御信号が”Ｌ”レベルである場合は、ＣＤ−ＲＯＭ用エラー訂正部３４へのクロック供給が停止され電力消費を減少させる。
【００３２】
また、オーディオ回路部制御信号が”Ｈ”レベルである場合、オーディオ出力回路部（デジタル部）３５ａには動作クロックが供給されるとともにＤ／Ａコンバータ部３５ｂへの電源が供給される。逆にオーディオ回路部制御信号が”Ｌ”レベルである場合は、オーディオ出力回路部（デジタル部）３５ａへのクロック供給が停止されるとともにＤ／Ａコンバータ部３５ｂへの電源供給が遮断もしくは低消費モードへの移行手段が講じられ、電力消費を減少させる。
【００３３】
以上の処理制御を行う回路を付加することにより、図１に示したようなシステム制御用ＣＰＵの制御を用いなくても、ＣＤ−ＤＡもしくはＣＤ−ＲＯＭデータの制御を行うことが可能になるとともに、不必要な電力消費を削減する事が可能となる。
【００３４】
次に、この発明の第２の実施形態につき、図４及び図５に従い説明する。尚、第１の実施形態と同一部分には同一符号を付し、説明の重複を避けるために、ここではその説明を割愛する。
【００３５】
この第２の実施形態は、前記実施形態で用いたサブコードＱチャネルデータの代わりに復調された記録データのそれぞれの特徴を用いることにより、前記第１の実施形態例と同様の効果をだすものである。
【００３６】
図４にＣＤ−ＤＡ、ＣＤ−ＲＯＭそれぞれの記録フォーマットを示す。図４に示すように、ＣＤ−ＲＯＭフォーマットには、記録データの前に１２バイトの同期コードが含まれている。この同期コードは１バイトの”０”、１０バイトの”ＦＦ”、１バイトの”０”という列からなり、このデータ列はＣＤ−ＤＡでは出現しない。このことからこの同期コードの出現を検出することにより、判別が可能となる。
【００３７】
図５にこの第２の実施形態での構成図を示す。図５に示すように、復調されたＥＦＭ信号はサブコード復調部３２及びデインターリーバ／エラー訂正部３１に与えられる。サブコード復調部３２は、与えられたＥＭＦ信号によりサブコードの復調が行われる。復調されたサブコードデータは、システム制御などに用いるために制御回路３３ａに与えられる。
【００３８】
インターリーバ／エラー訂正部３１に与えられたＥＭＦ信号は、インターリーバ／エラー訂正部３１にてエラー訂正が行われ、ＣＤ−ＲＯＭ用エラー訂正部３４、オーディ出力回路部３５に記録データが与えられる。さらに、この実施形態においては、インターリーバ／エラー訂正部３１からの記録データが制御回路３３ａに与えられる。
【００３９】
制御回路３３ａにおいて、前記同期コードの出現を検出する。制御回路３３ａは、インターリーバ／エラー訂正部３１から与えられるデータより、１２バイトの同期コードを検出すると、記録データがＣＤ−ＲＯＭデータと判断する。また、同期コードを検出しない場合には、記録データがＣＤ−ＤＡと判断する。そして、この判別結果に応じて、ＣＤ−ＤＡデータである場合、制御回路３３ａはＣＤ−ＲＯＭ用エラー訂正部制御信号を”Ｌ”レベルにして出力し、オーディオ回路部制御信号を”Ｈ”レベルにして出力する。逆にＣＤ−ＲＯＭデータである場合は、制御回路３３はＣＤ−ＲＯＭ用エラー訂正部制御信号を”Ｈ”レベルにして出力し、オーディオ回路部制御信号を”Ｌ”レベルにして出力する。以下、前記実施形態とと同様の処理を行う。即ち、ＣＤ−ＲＯＭ用エラー訂正部制御信号が”Ｈ”レベルである場合、ＣＤ−ＲＯＭ用エラー訂正部３４には動作クロックが供給される。逆にＣＤ−ＲＯＭ用エラー訂正部制御信号が”Ｌ”レベルである場合は、ＣＤ−ＲＯＭ用エラー訂正部３４へのクロック供給が停止され電力消費を減少させる。
【００４０】
また、オーディオ回路部制御信号が”Ｈ”レベルである場合、オーディオ出力回路部（デジタル部）３５ａには動作クロックが供給されるとともにＤ／Ａコンバータ部３５ｂへの電源が供給される。逆にオーディオ回路部制御信号が”Ｌ”レベルである場合は、オーディオ出力回路部（デジタル部）３５ａへのクロック供給が停止されるとともにＤ／Ａコンバータ部３５ｂへの電源供給が遮断もしくは低消費モードへの移行手段が講じられ、電力消費を減少させる。
【００４１】
【発明の効果】
以上のように、この発明によれば、従来動作に不必要なブロックの電力消費を削減する事が可能になるとともに、システム制御用ＣＰＵの制御を用いなくてもＣＤ−ＤＡもしくはＣＤ−ＲＯＭデータの制御を行うことが可能となりシステム制御用ＣＰＵの負荷を低減させることが可能となる。
【図面の簡単な説明】
【図１】ＣＤ−ＲＯＭドライブの概略構成を示すブロック図である。
【図２】サブコードＱチャネルフォーマットを示す図である。
【図３】この発明の第１の実施形態を示すブロック図である。
【図４】ＣＤ−ＤＡ、ＣＤ−ＲＯＭそれぞれの記録フォーマットを示す図である。
【図５】この発明の第２の実施形態を示すブロック図である。
【符号の説明】
３１　デインターリーバ／エラー訂正部
３２　サブコード復調部３２
３３　制御回路
３４　ＣＤ−ＲＯＭ用エラー訂正部
３４ｃ　ゲート
３５　オーディ出力回路部
３５ａ　オーディオ出力回路部
３５ｂ　Ｄ／Ａコンバータ部
３５ｃ　ゲート
【図１】
2004046911.tif 000003
【図２】
2004046911.tif 000004
【図３】
2004046911.tif 000005
【図４】
2004046911.tif 000006
【図５】
2004046911.tif 000007